(57)【要約】【課題】  信頼性が高く、大容量でしかも高速転送が可能な磁気テープカートリッジを、安価に内蔵できる磁気テープ型ドライブ装置及び磁気テープカートリッジの固定構造を提供する。【解決手段】  磁気テープ３１を磁気ヘッド３５に対して走行させて磁気記録再生を行う磁気テープ型ドライブ装置１００であって、ケース内のリール３７に磁気テープ３１を巻装した磁気テープカートリッジ２３と、磁気テープカートリッジ２３から引き出された磁気テープ３１を巻き取る巻き取りリール２９とを備え、磁気テープカートリッジ２３を取付け固定手段によって装置の基台２１に固定した。【選択図】図１
2005135449.tif 000002
【特許請求の範囲】
【請求項１】
磁気テープを磁気ヘッドに対して走行させて磁気記録再生を行う磁気テープ型ドライブ装置であって、
ケース内のリールに前記磁気テープを巻装した磁気テープカートリッジと、該磁気テープカートリッジから引き出された前記磁気テープを巻き取る巻き取りリールとを備え、
前記磁気テープカートリッジが取付け固定手段によって装置の基台に固定されたことを特徴とする磁気テープ型ドライブ装置。
【請求項２】
ケース内のリールに磁気テープを巻装した磁気テープカートリッジを、取付け固定手段によって、磁気テープ型ドライブ装置の基台に固定する磁気テープカートリッジの固定構造であって、
前記取付け固定手段が、前記基台に形成された雌ネジと、該雌ネジに螺合する固定用ネジと、前記ケースに形成され該固定用ネジが挿通される挿通穴とからなることを特徴とする磁気テープカートリッジの固定構造。
【請求項３】
ケース内のリールに磁気テープを巻装した磁気テープカートリッジを、取付け固定手段によって、磁気テープ型ドライブ装置の基台に固定する磁気テープカートリッジの固定構造であって、
前記取付け固定手段が、前記基台に形成された挿通穴と、該挿通穴に挿通される固定用ネジと、前記ケースに形成され該固定用ネジが螺合する雌ネジとからなることを特徴とする磁気テープカートリッジの固定構造。
【請求項４】
ケース内のリールに磁気テープを巻装した磁気テープカートリッジを、取付け固定手段によって、磁気テープ型ドライブ装置の基台に固定する磁気テープカートリッジの固定構造であって、
前記取付け固定手段が、前記基台に突設された少なくとも一対の弾性係止腕と、前記ケースの側面に形成され該弾性係止腕の係止する係止凹部とからなることを特徴とする磁気テープカートリッジの固定構造。
【請求項５】
ケース内のリールに磁気テープを巻装した磁気テープカートリッジを、取付け固定手段によって、磁気テープ型ドライブ装置の基台に固定する磁気テープカートリッジの固定構造であって、
前記取付け固定手段が、前記基台に突設された少なくとも一対の弾性係止腕と、前記ケースの上面に形成され該弾性係止腕の係止する周縁部とからなることを特徴とする磁気テープカートリッジの固定構造。
【発明の詳細な説明】
【技術分野】
【０００１】
本発明は、磁気テープカートリッジを内蔵した磁気テープ型ドライブ装置及び磁気テープカートリッジの固定構造に関する。
【背景技術】
【０００２】
従来、コンピュータ等に内蔵或いは外付けされる磁気テープ型ドライブ装置は、ドライブ装置に対して磁気テープカートリッジを着脱自在、即ち、交換可能に備えていた。磁気テープカートリッジ１は、図６に示すように、上ケース２ａと下ケース２ｂとがネジ等により締結されてなるカートリッジケース２内に、単一のカートリッジ側リール３が回動可能に収容される。カートリッジ側リール３には磁気テープ５が巻装され、磁気テープ５の先端には終端にリーダーピン７の固着されたリーダーテープ９が延長接合される。カートリッジケース２の一側壁には、磁気テープ５を引き出すための開口部２ｃが形成され、この開口部２ｃは図示しない弾性手段で閉方向に付勢されたスライドドア１１により開閉される。また、磁気テープカートリッジ１はその不使用時に磁気テープ５及びリーダーテープ９が完全にリール３に巻き込まれた状態で、終端のリーダーピン７が開口部２ｃの近傍に形成された図示しない凹状の格納部に係止される。
【０００３】
このように構成された磁気テープカートリッジ１は、図示しない磁気テープ型ドライブ装置に挿入されると、リーダーテープ先端のリーダーピン７が磁気テープ型ドライブ装置に設けられた保持部材によって保持され、リーダーピン７、リーダーテープ９を介して磁気テープ５が引き出される。引き出された磁気テープ５は、巻き取りリールにリーダーピン７が係止されて巻き取られることで、ロード（引き出し）が行われる。その際、磁気テープ型ドライブ装置に設けられた磁気ヘッドに磁気テープ５が接触することにより、データの記録又は再生が行われる。これにより、磁気テープカートリッジ１を用いた大容量で高速のデータバックアップが高い信頼性の下に可能となった。
【発明の開示】
【発明が解決しようとする課題】
【０００４】
ところで、従来の磁気テープ型ドライブ装置は、磁気テープカートリッジを交換する前提で、磁気テープカートリッジが着脱自在な構造となっていた。また、このことは、磁気テープカートリッジについても同様であり、例えばケース脱着時に、開口部からの塵埃等の侵入を防止するために設けられたスライドドア１１等もその一つである。
近年、新規ＩＴ機器の用途が模索される中、例えば家庭用途のサーバー等では、従来の磁気テープ型ドライブ装置のように記録媒体（磁気テープカートリッジ１）の互換や交換が必ずしも必要でない用途が新たに生まれる。一方、このような新たな市場での普及を図るには製品の低価格化が重要な要件となる。
上記した従来の磁気テープ型ドライブ装置においても、磁気テープカートリッジをドライブ装置自体に組み込むものもあったが、その用途は航空機用、宇宙開発用、軍事用等の機能重視の装置に限られ、その結果、生産性を高めたものや低コスト化の図られたものはなかった。
本発明は上記状況に鑑みてなされたもので、信頼性が高く、大容量でしかも高速転送が可能な磁気テープカートリッジを、安価に内蔵できる磁気テープ型ドライブ装置及び磁気テープカートリッジの固定構造を提供することにある。
【課題を解決するための手段】
【０００５】
上記目的を達成するための本発明に係る請求項１記載の磁気テープ型ドライブ装置は、磁気テープを磁気ヘッドに対して走行させて磁気記録再生を行う磁気テープ型ドライブ装置であって、ケース内のリールに前記磁気テープを巻装した磁気テープカートリッジと、該磁気テープカートリッジから引き出された前記磁気テープを巻き取る巻き取りリールとを備え、前記磁気テープカートリッジが取付け固定手段によって装置の基台に固定されたことを特徴とする。
【０００６】
この磁気テープ型ドライブ装置では、従来、ドライブ装置に対して着脱自在であった磁気テープカートリッジが、取付け固定手段によってドライブ装置の基台に固定され、磁気テープカートリッジがドライブ装置の一構成部材となる。したがって、磁気テープカートリッジを着脱自在な構造とするために必要であった部材が廃止可能となり、磁気テープカートリッジが簡素な構造で内蔵可能となる。
【０００７】
請求項２記載の磁気テープカートリッジの固定構造は、ケース内のリールに磁気テープを巻装した磁気テープカートリッジを、取付け固定手段によって、磁気テープ型ドライブ装置の基台に固定する磁気テープカートリッジの固定構造であって、前記取付け固定手段が、前記基台に形成された雌ネジと、該雌ネジに螺合する固定用ネジと、前記ケースに形成され該固定用ネジが挿通される挿通穴とからなることを特徴とする。
【０００８】
この磁気テープカートリッジの固定構造では、基台に形成された雌ネジに、挿通穴を一致させるようにして磁気テープカートリッジが配置され、磁気テープカートリッジの上面から挿通穴に挿入した固定用ネジが雌ネジに締付けられることで、磁気テープカートリッジが固定用ネジによって基台にネジ固定される。即ち、磁気テープカートリッジは、上面側から固定用ネジが締付けられて、固定作業が行われる。
【０００９】
請求項３記載の磁気テープカートリッジの固定構造は、ケース内のリールに磁気テープを巻装した磁気テープカートリッジを、取付け固定手段によって、磁気テープ型ドライブ装置の基台に固定する磁気テープカートリッジの固定構造であって、前記取付け固定手段が、前記基台に形成された挿通穴と、該挿通穴に挿通される固定用ネジと、前記ケースに形成され該固定用ネジが螺合する雌ネジとからなることを特徴とする。
【００１０】
この磁気テープカートリッジの固定構造では、基台に形成された挿通穴に、雌ネジを一致させるようにして磁気テープカートリッジが配置され、基台の裏面から挿通穴に挿入した固定用ネジがケースの雌ネジに締付けられることで、磁気テープカートリッジが固定用ネジによって基台にネジ固定される。即ち、固定用ネジが、基台裏面からケースを貫通せずに、ケースに締付け可能となる。
【００１１】
請求項４記載の磁気テープカートリッジの固定構造は、ケース内のリールに磁気テープを巻装した磁気テープカートリッジを、取付け固定手段によって、磁気テープ型ドライブ装置の基台に固定する磁気テープカートリッジの固定構造であって、前記取付け固定手段が、前記基台に突設された少なくとも一対の弾性係止腕と、前記ケースの側面に形成され該弾性係止腕の係止する係止凹部とからなることを特徴とする。
【００１２】
この磁気テープカートリッジの固定構造では、基台に突設された一対の弾性係止腕の間に磁気テープカートリッジが押し入れることで、弾性係止腕が弾性変形されて広がり、弾性係止腕の係止爪と係止凹部とが一致すると、弾性係止腕の弾性復帰力によって係止爪が係止凹部に係止され、磁気テープカートリッジがワンタッチで基台に固定されることになる。
【００１３】
請求項５記載の磁気テープカートリッジの固定構造は、ケース内のリールに磁気テープを巻装した磁気テープカートリッジを、取付け固定手段によって、磁気テープ型ドライブ装置の基台に固定する磁気テープカートリッジの固定構造であって、前記取付け固定手段が、前記基台に突設された少なくとも一対の弾性係止腕と、前記ケースの上面に形成され該弾性係止腕の係止する周縁部とからなることを特徴とする。
【００１４】
この磁気テープカートリッジの固定構造では、基台に突設された一対の弾性係止腕の間に磁気テープカートリッジが押し入れることで、弾性係止腕が弾性変形されて広がり、弾性係止腕の係止爪とケース上面の周縁部とが一致すると、弾性係止腕の弾性復帰力によって係止爪が周縁部に係止され、磁気テープカートリッジがワンタッチで基台に固定されることになる。また、弾性係止腕がケースの上面に係止するので、ケースに特別な係止凹部等を設ける必要がない。
【発明の効果】
【００１５】
本発明に係る請求項１記載の磁気テープ型ドライブ装置によれば、磁気テープを磁気ヘッドに対して走行させて磁気記録再生を行う磁気テープ型ドライブ装置において、ケース内のリールに磁気テープを巻装した磁気テープカートリッジを備え、この磁気テープカートリッジを取付け固定手段によって装置の基台に固定したので、磁気テープカートリッジを着脱自在な構造とするために必要な部材を廃止することができ、簡素な構造で磁気テープカートリッジを内蔵することができる。この結果、信頼性が高く、大容量でしかも高速転送が可能な磁気テープカートリッジの内蔵された磁気テープ型ドライブ装置を安価に得ることができる。
【００１６】
本発明に係る請求項２記載の磁気テープカートリッジの固定構造によれば、磁気テープカートリッジを基台に固定するための取付け固定手段が、基台に形成された雌ネジと、雌ネジに螺合する固定用ネジと、ケースに形成され固定用ネジが挿通される挿通穴とからなるので、磁気テープカートリッジの上面側から固定用ネジを締付けて固定作業を行うことができ、磁気テープカートリッジを容易な作業で、しかも、確実に基台に固定することができる。
【発明を実施するための最良の形態】
【００１７】
以下、本発明に係る磁気テープ型ドライブ装置及び磁気テープカートリッジの固定構造の好適な実施の形態について、図面を参照して説明する。
図１は本発明に係る第１の実施の形態の磁気テープ型ドライブ装置を表した平面図、図２は図１に示した磁気テープカートリッジの固定構造を表す側面図である。
この磁気テープ型ドライブ装置１００は、例えば金属からなる筺体フレーム（基台）２１の一部分に、磁気テープカートリッジ２３を固定する載置部２５が設けられている。図２に示すように、載置部２５には複数の凸部２７が突設され、凸部２７は磁気テープカートリッジ２３の下面を担持する。載置部２５の近傍には巻き取りリール２９が回動自在に固設され、巻き取りリール２９は図示しない駆動モータによって回転駆動される。
【００１８】
載置部２５に固定された磁気テープカートリッジ２３からは磁気テープ３１が引き出され、磁気テープ３１は先端が巻き取りリール２９の巻取り軸２９ａに固定される。磁気テープカートリッジ２３と巻き取りリール２９との間には少なくとも一対の回転自在なガイドローラ３３ａ、３３ｂが設けられ、ガイドローラ３３ａ、３３ｂは磁気テープカートリッジ２３と巻き取りリール２９との間を走行する磁気テープ３１を案内する。この一対のガイドローラ３３ａ、３３ｂの間には磁気ヘッド３５が配設され、磁気ヘッド３５は磁気テープ３１の走行路に突出することで磁気テープ３１に接触する。即ち、磁気テープ型ドライブ装置１００は、磁気テープ３１を磁気ヘッド３５に対して走行させて磁気記録再生を行う。
【００１９】
磁気テープカートリッジ２３は、単一のカートリッジ側リール３７に磁気テープ３１を巻装する。磁気テープカートリッジ２３は、従来の交換自在な構造を有するものと異なり、開口部を開閉するためのスライドドアや、開口部から磁気テープ３１を引き出すためのリーダーテープ、引き出した磁気テープ３１を巻き取りリール２９に自動で係止するためのリーダーピン等が廃止されている。
【００２０】
磁気テープカートリッジ２３は、磁気テープ製造部門から、ドライブ装置製造部門へと供給される。磁気テープ製造部門から出荷される際の磁気テープカートリッジ２３は、カートリッジ側リール３７に巻装された磁気テープ３１の巻き終わり（終端）が、ケース３９の開口部４１から容易に取出せるように、例えば粘着シート等によってケース外部に固定される。また、終端には開口部からの引き込みが阻止でき、巻き取りリール２９に係着可能な簡易な係止ピンが設けられても良い。したがって、ドライブ装置製造部門では、磁気テープカートリッジ２３を載置部２５に固定した後、磁気テープカートリッジ２３から引き出された磁気テープ３１の終端が巻き取りリール２９に固定される。
【００２１】
磁気テープカートリッジ２３は、基台２１の載置部２５に、取付け固定手段４０によって固定される。本実施の形態では、取付け固定手段４０が、基台２１の凸部２７に形成された雌ネジ４３と、この雌ネジ４３に螺合する固定用ネジ４５と、ケース３９に形成され固定用ネジ４５が挿通される挿通穴４７とからなる。これら固定用ネジ４５と雌ネジ４３とは、少なくとも一対以上が設けられる。挿通穴４７は、ケース３９の上面側から所定の深さが大径穴４７ａとなり、途中に形成される段部４９の以下が小径穴４７ｂとなる。つまり、固定用ネジ４５の頭部４５ａは、大径穴４７ａに進入して段部４９で締付けられる。
【００２２】
この磁気テープ型ドライブ装置１００では、従来、ドライブ装置に対して着脱自在であった磁気テープカートリッジが、取付け固定手段４０によってドライブ装置１００の基台２１に固定され、磁気テープカートリッジ２３がドライブ装置１００の一構成部材となる。したがって、磁気テープカートリッジ２３を着脱自在な構造とするために必要であった部材が廃止可能となり、磁気テープカートリッジ２３が簡素な構造で内蔵可能となる。
【００２３】
また、磁気テープカートリッジ２３の固定構造では、基台２１に形成された雌ネジ４３に、挿通穴４７を一致させるようにして磁気テープカートリッジ２３が配置され、磁気テープカートリッジ２３の上面から挿通穴４７に挿入した固定用ネジ４５が雌ネジ４３に締付けられることで、磁気テープカートリッジ２３が固定用ネジ４５によって基台２１にネジ固定される。即ち、磁気テープカートリッジ２３は、上面側から固定用ネジ４５が締付けられて、固定作業が行われる。
【００２４】
したがって、この磁気テープ型ドライブ装置１００によれば、磁気テープカートリッジ２３を着脱自在な構造とするために必要な部材を廃止することができ、簡素な構造で磁気テープカートリッジ２３を内蔵することができる。この結果、信頼性が高く、大容量でしかも高速転送が可能な磁気テープカートリッジ２３の内蔵された磁気テープ型ドライブ装置１００を安価に得ることができる。
【００２５】
また、この磁気テープカートリッジ２３の固定構造によれば、磁気テープカートリッジ２３を基台２１に固定するための取付け固定手段４０が、基台２１に形成された雌ネジ４３と、雌ネジ４１に螺合する固定用ネジ４５と、ケース３９に形成され固定用ネジ４５が挿通される挿通穴４７とからなるので、磁気テープカートリッジ２３の上面側から固定用ネジ４５を締付けて固定作業を行うことができ、磁気テープカートリッジ２３を容易な作業で、しかも、確実に基台２１に固定することができる。
そして、磁気テープカートリッジ２３を組み立て用パーツとして、磁気テープ製造部門からドライブ装置製造部門へと輸送、組み立てできるので、磁気テープ３１をドライブ装置製造部門で巻き直す必要がなくなり、生産性を高めることができる。
さらに、磁気テープカートリッジ２３は、従来の磁気テープカートリッジ生産ラインの小改造で生産が行えるので、少ない設備投資で製造ラインの構築が可能となる。
【００２６】
次に、本発明に係る第２の実施の形態の磁気テープカートリッジの固定構造を説明する。
図３は磁気テープカートリッジの雌ネジに固定用ネジを螺着する本発明の第２の実施の形態の側面図である。
この磁気テープカートリッジの固定構造は、取付け固定手段５０が、基台５１に形成された挿通穴５３と、挿通穴５３に挿通される固定用ネジ４５と、ケース５５に形成され固定用ネジ４５が螺合する雌ネジ５７とからなる。挿通穴５３は、基台５１の下面側から所定の深さが大径穴５３ａとなり、途中に形成される段部４９の以下が小径穴５３ｂとなる。つまり、固定用ネジ４５の頭部４５ａは、大径穴５３ａに進入して段部４９で締付けられる。
【００２７】
この磁気テープカートリッジの固定構造では、基台５１に形成された挿通穴５３に、雌ネジ５７を一致させるようにして磁気テープカートリッジ５９が配置され、基台５１の裏面から挿通穴５３に挿入した固定用ネジ４５がケース５５の雌ネジ５７に締付けられることで、磁気テープカートリッジ５９が固定用ネジ４５によって基台５１にネジ固定される。即ち、固定用ネジ４５が、基台裏面からケース５５を貫通せずに、ケース５５に締付け可能となる。
【００２８】
この磁気テープカートリッジの固定構造によれば、磁気テープカートリッジ５９を基台５１に固定するための取付け固定手段５０が、基台５１に形成された挿通穴５３と、挿通穴５３に挿通される固定用ネジ４５と、ケース５５に形成され固定用ネジ４５が螺合する雌ネジ５７とからなるので、基台裏面から固定用ネジ４５の締付けが可能となり、磁気テープカートリッジ５９の上面側に他部材が配設される場合の、他部材と固定用ネジ４５との干渉を防止することができる。また、固定用ネジ４５がケース５５を貫通しないので、固定構造のために供与しなければならないケース５５内の占有スペースを少なくすることができる。
【００２９】
次に、本発明に係る第３の実施の形態の磁気テープカートリッジの固定構造を説明する。
図４は磁気テープカートリッジの係止凹部に弾性係止腕を係止する本発明の第３の実施の形態の側面図である。
この磁気テープカートリッジの固定構造は、取付け固定手段６０が、基台６１に突設された少なくとも一対の弾性係止腕６３，６３と、ケース６５の側面６５ａに形成され弾性係止腕６３，６３の係止する係止凹部６７，６７とからなる。
【００３０】
この磁気テープカートリッジの固定構造では、図４（ａ）に示すように、基台６１に突設された一対の弾性係止腕６３，６３の間に磁気テープカートリッジ６９が押し入れることで、弾性係止腕６３，６３が弾性変形されて広がり、図４（ｂ）に示すように、弾性係止腕６３、６３の係止爪６３ａ，６３ａと係止凹部６７，６７とが一致すると、弾性係止腕６３，６３の弾性復帰力によって係止爪６３ａ，６３ａが係止凹部６７，６７に係止され、磁気テープカートリッジ６９がワンタッチで基台６１に固定されることになる。
【００３１】
この磁気テープカートリッジの固定構造によれば、磁気テープカートリッジ６９を基台６１に固定するための取付け固定手段６０が、基台６１に突設された少なくとも一対の弾性係止腕６３，６３と、ケース６５の側面６５ａに形成され弾性係止腕６３，６３の係止する係止凹部６７，６７とからなるので、磁気テープカートリッジ６９を一対の弾性係止腕６３，６３の間に押し入れることで、弾性係止腕６３，６３を弾性変形させて広げた後、その弾性復帰力によって係止凹部６７，６７に係止でき、磁気テープカートリッジ６９をワンタッチで基台に固定することができる。この結果、組立作業性を高めることができる。
【００３２】
次に、本発明に係る第４の実施の形態の磁気テープカートリッジの固定構造を説明する。
図５は磁気テープカートリッジ上面の周縁部に弾性係止腕を係止する本発明の第４の実施の形態の側面図である。
この磁気テープカートリッジの固定構造は、取付け固定手段７０が、基台７１に突設された少なくとも一対の弾性係止腕７３，７３と、ケース７５の上面７５ａに形成され弾性係止腕７３，７３の係止する周縁部７７とからなる。
【００３３】
この磁気テープカートリッジの固定構造では、基台７１に突設された一対の弾性係止腕７３，７３の間に磁気テープカートリッジ７９が押し入れることで、弾性係止腕７３，７３が弾性変形されて広がり、弾性係止腕の係止爪７３ａ，７３ａとケース上面７５ａの周縁部７７とが一致すると、弾性係止腕７３，７３の弾性復帰力によって係止爪７３ａ，７３ａが周縁部７７に係止され、磁気テープカートリッジ７９がワンタッチで基台７１に固定されることになる。また、弾性係止腕７３，７３がケース７５の上面７５ａに係止するので、ケース７５に特別な係止凹部等を設ける必要がない。
【００３４】
この磁気テープカートリッジの固定構造によれば、磁気テープカートリッジ７９を基台７１に固定するための取付け固定手段７０が、基台７１に突設された少なくとも一対の弾性係止腕７３，７３と、ケース７５の上面７５ａに形成され弾性係止腕７３，７３の係止する周縁部７７とからなるので、磁気テープカートリッジ７９を一対の弾性係止腕７３，７３の間に押し入れることで、弾性係止腕７３，７３を弾性変形させて広げた後、その弾性復帰力によってケース上面７５ａの周縁部７７に係止でき、磁気テープカートリッジ７９をワンタッチで基台７１に固定することができる。また、弾性係止腕７３，７３がケース７５の上面７５ａに係止するので、ケース７５に特別な係止凹部等を設ける必要もない。この結果、組立作業性をより簡素な構造で高めることができる。
【００３５】
なお、上記各実施形態においては、単一のリールを内蔵する磁気テープカートリッジを一例として挙げて説明しているが、この他にも、２つのリールを内蔵する磁気テープカートリッジに対しても、同様な固定構造により基台に固定することができる。
【図面の簡単な説明】
【００３６】
【図１】本発明に係る第１の実施の形態の磁気テープ型ドライブ装置を表した平面図である。
【図２】図１に示した磁気テープカートリッジの固定構造を表す側面図である。
【図３】磁気テープカートリッジの雌ネジに固定用ネジを螺着する本発明の第２の実施の形態の側面図である。
【図４】磁気テープカートリッジの係止凹部に弾性係止腕を係止する本発明の第３の実施の形態の側面図である。
【図５】磁気テープカートリッジ上面の周縁部に弾性係止腕を係止する本発明の第４の実施の形態の側面図である。
【図６】従来の磁気テープカートリッジを表す斜視図である。
【符号の説明】
【００３７】
２１，５１，６１，７１  基台
２３，５９，６９，７９  磁気テープカートリッジ
２９  巻き取りリール
３１  磁気テープ
３５  磁気ヘッド
３７  カートリッジ側リール
３９，５５，６５，７５  ケース
４０，５０，６０，７０  取付け固定手段
４３，５７  雌ネジ
４５  固定用ネジ
４７，５３  挿通穴
６３，７３  弾性係止腕
６５ａ  ケースの側面
６７  係止凹部
７５ａ  ケースの上面
７７  周縁部
１００  磁気テープ型ドライブ装置
【図１】
2005135449.tif 000003
【図２】
2005135449.tif 000004
【図３】
2005135449.tif 000005
【図４】
2005135449.tif 000006
【図５】
2005135449.tif 000007
【図６】
2005135449.tif 000008